(57)【要約】【課題】部品点数の増加を抑制することが可能で、かつ、振動を確実に吸収することが可能な振動を伴う機器の支持構造を提供する。【解決手段】このファン装置２０（振動を伴う機器）の支持構造は、ファン装置２０に設けられた固定孔２１ａに挿入され、軸方向（Ｃ方向）に間隔Ｌ１を隔てて配置されるとともに外周面から突出するように設けられた弾性変形可能な一対の凸部１２を一体的に含むボス部１１を備える。そして、ファン装置２０の固定孔２１ａにボス部１１が挿入された状態で、弾性変形可能な一対の凸部１３間にフレーム２１を挟み込んで保持することにより、ファン装置２０の振動を吸収するように構成されている。【選択図】図４
2010261543.tif 000002
【特許請求の範囲】
【請求項１】
振動を伴う機器に設けられた開口部に挿入され、軸方向に所定の間隔を隔てて配置されるとともに外周面から突出するように設けられた弾性変形可能な一対の凸部を一体的に含む柱状部を備え、
前記振動を伴う機器の開口部に前記柱状部が挿入された状態で、前記弾性変形可能な一対の凸部間に前記機器を挟み込んで保持することにより、前記振動を伴う機器の振動を吸収するように構成されている、振動を伴う機器の支持構造。
【請求項２】
前記柱状部は、筒状に形成されることにより、前記柱状部の内周面に沿ってネジ部材を挿入しながら締め込むことが可能に構成されており、
前記柱状部は、前記ネジ部材が締め込まれて前記一対の凸部が互いに対向する側と反対側の端部が前記ネジ部材とともに固定されることにより、前記柱状部の前記一対の凸部間に形成される領域が前記振動を伴う機器の振動を吸収するように構成されている、請求項１に記載の振動を伴う機器の支持構造。
【請求項３】
前記一対の凸部は、前記機器の開口部に前記柱状部が挿入された状態で、前記ネジ部材が前記柱状部の内周面に沿って締め込まれる際に前記弾性変形可能な一対の凸部の各々を撓ませることにより、前記一対の凸部間に前記機器を挟み込んで保持するように構成されている、請求項２に記載の振動を伴う機器の支持構造。
【請求項４】
前記一対の凸部間に形成される領域の前記柱状部の内径は、前記ネジ部材のネジ部の外径よりも大きく形成されており、
前記一対の凸部間に前記機器を挟み込んで保持する状態で、前記一対の凸部間に形成される領域の柱状部が、前記一対の凸部間に形成される領域の柱状部の内周面と前記ネジ部材のネジ部との間に設けられた隙間を縮める方向に移動することにより、前記振動を伴う機器の前記柱状部の軸方向と交差する方向の振動を吸収するように構成されている、請求項２または３に記載の振動を伴う機器の支持構造。
【請求項５】
筒状に形成された前記柱状部の前記一対の凸部の肉厚は、前記一対の凸部以外の前記柱状部の肉厚よりも小さく形成されている、請求項２〜４のいずれか１項に記載の振動を伴う機器の支持構造。
【請求項６】
前記柱状部は、前記一対の凸部間の距離が、前記一対の凸部によって挟み込まれる部分の前記機器の厚み以下であるように構成されている、請求項１〜５のいずれか１項に記載の振動を伴う機器の支持構造。
【請求項７】
前記一対の凸部は、前記柱状部の外周面に沿って周状に形成されている、請求項１〜６のいずれか１項に記載の振動を伴う機器の支持構造。
【請求項８】
前記凸部の表面は、前記柱状部の延びる軸方向に沿って円弧状に形成されている、請求項１〜７のいずれか１項に記載の振動を伴う機器の支持構造。
【請求項９】
前記一対の凸部を含む前記柱状部は、弾性変形可能な樹脂により形成されている、請求項１〜８のいずれか１項に記載の振動を伴う機器の支持構造。
【請求項１０】
前記一対の凸部を含む柱状部は、前記振動を伴う機器が取り付けられる筐体に一体的に設けられたボス部である、請求項１〜９のいずれか１項に記載の振動を伴う機器の支持構造。
【発明の詳細な説明】
【技術分野】
【０００１】
この発明は、振動を伴う機器の支持構造に関する。
【背景技術】
【０００２】
従来、振動を伴う機器の支持構造などが知られている（たとえば、特許文献１〜４参照）。
【０００３】
上記特許文献１には、外部筐体にシャーシを固定する際の支持用ダンパを備えた支持装置が開示されている。この支持装置では、シャーシの取付穴が、外部筐体に設けられた円筒状のボスに対して、ボスの外周面にボスと同軸状に嵌め込まれた弾性材からなる支持用ダンパを介して取り付けられるように構成されている。これにより、シャーシ側の振動が、支持用ダンパによって吸収されるように構成されている。また、上記特許文献１の第６図には、筐体の内側にシャーシを支持するための取付構造が開示されている。このシャーシの取付構造では、シャーシの固定孔を貫通するボルトが、筐体の内壁に凸状に設けられたボス部にネジ留めされるとともに、シャーシが筐体の内壁と所定の間隔を隔てて保持されるように構成されている。すなわち、シャーシと筐体の内壁との間の領域に、ボルトと同軸状に挿入されるとともに一方端部（首部）がシャーシの固定孔に挿入された弾性材からなるダンパが設けられている。この際、ダンパには、シャーシを厚み方向に挟み込む一方端部（首部）の片側の根元から筐体の内壁に向かって湾曲しながら延びる脚部が形成されており、ボルトの締め込み動作に伴ってこの脚部が撓むように構成されている。これにより、筐体の内壁と所定の間隔を隔てて保持されたシャーシ側の振動が、ダンパによって吸収されるように構成されている。
【０００４】
また、上記特許文献２には、空気調和機の筐体にファンモータを固定する際の空気調和機のモータ取付構造が開示されている。この空気調和機のモータ取付構造では、ファンモータのケーシング部分（取付脚）が、筐体の天井面に設けられた円筒状の取付ボスに対して、取付ボスの外周面に取付ボスと同軸状に嵌め込まれた防振ゴムを介して取り付けられるように構成されている。これにより、筐体の天井面に取り付けられたファンモータの発する振動は、防振ゴムによって吸収されるように構成されている。
【０００５】
また、上記特許文献３には、送風路ダクトの端部に取り付けられるファン装置が開示されている。このファン装置では、ケーシング部分（取付脚）が、送風路ダクトの端部に設けられた円筒状の取付ボスに対して、取付ボスの外周面に取付ボスと同軸状に嵌め込まれたゴム製のブッシュ（防振ゴム）を介して取り付けられるように構成されている。これにより、送風路ダクトの端部に取り付けられたファン装置の発する振動は、ブッシュによって吸収されるように構成されている。
【０００６】
また、上記特許文献４には、プリント板支持枠にフライバックトランス（昇圧トランス）を固定する際の取付構造が開示されている。このフライバックトランスの取付構造では、フライバックトランスを構成する固定部材（取り付け脚部）が、プリント板支持枠に設けられた円筒状の取付ボスに対して直に取り付けられてネジ留めされるように構成されている。
【先行技術文献】
【特許文献】
【０００７】
【特許文献１】特開平１１−２７０６２５号公報
【特許文献２】特開２００２−１０６８７５号公報
【特許文献３】特開２０００−２７７９９号公報
【特許文献４】実開昭５７−１９３２１０号公報
【発明の概要】
【発明が解決しようとする課題】
【０００８】
しかしながら、上記特許文献１に記載の支持装置では、外部筐体に設けられたボスに、別途支持用ダンパを嵌めこんだ状態でシャーシを取り付けることによりシャーシ側の振動を吸収するため、振動吸収用の支持用ダンパを別途設ける必要がある分、シャーシを外部筐体に取り付ける構造における部品点数が増加するという問題点がある。
【０００９】
また、上記特許文献１の第６図に記載されたシャーシの取付構造では、シャーシの固定孔に別部材として挿入された振動吸収用のダンパが、筐体の内壁に凸状に設けられたボス部に対してボルト締めされた構成を有するため、振動吸収用のダンパを必要とする分、シャーシの取付構造における部品点数が増加するという問題点がある。また、シャーシの振動を吸収するダンパの脚部が、シャーシを厚み方向に挟み込む一方端部（首部）の片側の根元から筐体の内壁に向かってしか設けられていないため、ダンパは、シャーシの振動力のうちシャーシが筐体の内壁に近づく方向の振動力を吸収可能である一方、シャーシが筐体の内壁から遠ざかる方向の振動力を吸収しづらいと考えられる。したがって、シャーシ側の振動を確実に吸収できないという問題点がある。
【００１０】
また、上記特許文献２に記載の空気調和機のモータ取付構造では、筐体の天井面に設けられた取付ボスに、別途防振ゴムを嵌めこんだ状態でファンモータのケーシング部分を取り付けることによりファンモータの発する振動を吸収するため、振動吸収用の防振ゴムを別途設ける必要がある分、モータを筐体に取り付ける構造における部品点数が増加するという問題点がある。
【００１１】
また、上記特許文献３に記載のファン装置では、送風路ダクトの端部に設けられた取付ボスに、別途ブッシュ（防振ゴム）を嵌めこんだ状態でファン装置のケーシング部分を取り付けることによりファン装置の発する振動を吸収するため、振動吸収用のブッシュを別途設ける必要がある分、ファン装置を送風路ダクトに取り付ける構造における部品点数が増加するという問題点がある。
【００１２】
また、上記特許文献４に記載のフライバックトランスの取付構造では、フライバックトランスの固定部材（取り付け脚部）が、プリント板支持枠側の取付ボスに対して直に取り付けられてネジ留めされているため、このフライバックトランスを備えた機器本体が、定常または非定常な機械的振動を受けた場合、フライバックトランスは振動の影響を直接受ける場合があると考えられる。また、このフライバックトランスの取付構造を、フライバックトランス以外の振動を伴う機器などに対する取付構造に適用した場合、機器側の振動が固定部材（取り付け脚部）および取付ボスを介してプリント板支持枠側に直接伝わると考えられる。したがって、上記特許文献４に記載のフライバックトランスの取付構造では、振動の発生源が機器本体の内部であるか外部であるかに関わらず振動を吸収できないという問題点がある。
【００１３】
この発明は、上記のような課題を解決するためになされたものであり、この発明の１つの目的は、部品点数の増加を抑制することが可能で、かつ、振動を確実に吸収することが可能な振動を伴う機器の支持構造を提供することである。
【課題を解決するための手段および発明の効果】
【００１４】
この発明の一の局面による振動を伴う機器の支持構造は、振動を伴う機器に設けられた開口部に挿入され、軸方向に所定の間隔を隔てて配置されるとともに外周面から突出するように設けられた弾性変形可能な一対の凸部を一体的に含む柱状部を備え、振動を伴う機器の開口部に柱状部が挿入された状態で、弾性変形可能な一対の凸部間に機器を挟み込んで保持することにより、振動を伴う機器の振動を吸収するように構成されている。
【００１５】
この発明の一の局面による振動を伴う機器の支持構造では、上記のように、振動を伴う機器に設けられた開口部に挿入され、軸方向に所定の間隔を隔てて配置される弾性変形可能な一対の凸部を一体的に含む柱状部を備えるとともに、振動を伴う機器の開口部に柱状部が挿入された状態で、弾性変形可能な一対の凸部間に機器を挟み込んで保持することにより、振動を伴う機器の振動を吸収するように構成することによって、柱状部は、機器の開口部を介して機器を支持するのと同時に、柱状部に一体的に設けられた一対の凸部を利用して機器の振動を吸収するので、機器の支持と振動吸収との両方の機能を柱状部に担わせることができる。これにより、たとえば、機器を支持するために支持部材を設けるとともに、機器の振動を吸収する目的で支持部材とは別に振動吸収部材（防振ゴムなど）を設ける場合と異なり、柱状部が機器の支持部材と振動吸収部材との両方の役割を担う分、振動を伴う機器の支持構造における部品点数の増加を抑制することができる。また、弾性変形可能な一対の凸部間に機器を挟み込んで保持することにより、振動を伴う機器の振動を吸収するように構成することによって、振動を伴う機器は、柱状部の一対の凸部によって機器の両側（たとえば柱状部の軸方向に沿った機器の上面および下面の両面側）から挟み込まれた状態で振動吸収可能に支持されるので、機器の振動力がいずれの方向に作用しても、一対の凸部の双方がこの振動力を吸収することができる。この結果、機器の振動を確実に吸収することができる。
【００１６】
上記一の局面による振動を伴う機器の支持構造において、好ましくは、柱状部は、筒状に形成されることにより、柱状部の内周面に沿ってネジ部材を挿入しながら締め込むことが可能に構成されており、柱状部は、ネジ部材が締め込まれて一対の凸部が互いに対向する側と反対側の端部がネジ部材とともに固定されることにより、柱状部の一対の凸部間に形成される領域が振動を伴う機器の振動を吸収するように構成されている。このように構成すれば、ネジ部材により固定される柱状部の端部に対して、機器を挟み込む柱状部の一対の凸部間の領域を相対的に変位させやすくすることができるので、一対の凸部間の領域を利用して機器の振動を容易に吸収することができる。
【００１７】
この場合、好ましくは、一対の凸部は、機器の開口部に柱状部が挿入された状態で、ネジ部材が柱状部の内周面に沿って締め込まれる際に弾性変形可能な一対の凸部の各々を撓ませることにより、一対の凸部間に機器を挟み込んで保持するように構成されている。このように構成すれば、ネジ部材の締め込み力が凸部の撓み変形に伴う弾性力に置き換えられて凸部に保存されるので、特に機器の振動が柱状部の軸方向に沿った方向に生じた場合においても、機器の振動を効果的に吸収することができる。
【００１８】
上記柱状部が筒状に形成される構成において、好ましくは、一対の凸部間に形成される領域の柱状部の内径は、ネジ部材のネジ部の外径よりも大きく形成されており、一対の凸部間に機器を挟み込んで保持する状態で、一対の凸部間に形成される領域の柱状部が、一対の凸部間に形成される領域の柱状部の内周面とネジ部材のネジ部との間に設けられた隙間を縮める方向に移動することにより、振動を伴う機器の柱状部の軸方向と交差する方向の振動を吸収するように構成されている。このように構成すれば、凸部間の柱状部の内周面とネジ部材のネジ部との間に生じる隙間を利用して、機器の振動が柱状部の軸方向と交差する方向に発生した場合であっても、機器の振動を効果的に吸収することができる。
【００１９】
上記柱状部が筒状に形成される構成において、好ましくは、筒状に形成された柱状部の一対の凸部の肉厚は、一対の凸部以外の柱状部の肉厚よりも小さく形成されている。このように構成すれば、一対の凸部の部分で柱状部の撓み変形をより容易に起こさせることができるので、一対の凸部の部分が撓みやすくなる分、柱状部に機器の振動を適切に吸収させることができる。
【００２０】
上記一の局面による振動を伴う機器の支持構造において、好ましくは、柱状部は、一対の凸部間の距離が、一対の凸部によって挟み込まれる部分の機器の厚み以下であるように構成されている。このように構成すれば、機器を一対の凸部間に挟み込んだ際、機器は確実に一対の凸部の部分と接触するので、機器を確実に一対の凸部間において支持することができる。
【００２１】
上記一の局面による振動を伴う機器の支持構造において、好ましくは、一対の凸部は、柱状部の外周面に沿って周状に形成されている。このように構成すれば、凸部が平面的に見て等方性を有した状態で機器を挟み込むことができるので、柱状部の延びる方向に対して垂直な平面内のあらゆる方向に発生する機器の振動を確実に吸収することができる。
【００２２】
上記一の局面による振動を伴う機器の支持構造において、好ましくは、凸部の表面は、柱状部の延びる軸方向に沿って円弧状に形成されている。このように構成すれば、柱状部の外側面から突出する凸部の表面が柱状部の挿入方向に沿って円弧状に形成されているので、柱状部を機器の開口部に挿入する際、凸部を容易に挿入して機器の開口部に嵌め込むことができる。
【００２３】
上記一の局面による振動を伴う機器の支持構造において、好ましくは、一対の凸部を含む柱状部は、弾性変形可能な樹脂により形成されている。このように構成すれば、樹脂成形により、一対の凸部を一体的に含む柱状部を容易に形成することができる。
【００２４】
上記一の局面による振動を伴う機器の支持構造において、好ましくは、一対の凸部を含む柱状部は、振動を伴う機器が取り付けられる筐体に一体的に設けられたボス部である。このように構成すれば、筐体側に一体的に設けられたボス部（柱状部）によって振動を伴う機器が支持されるので、部品点数を増加させることなく、振動を伴う機器を筐体側に容易に取り付けることができる。
【図面の簡単な説明】
【００２５】
【図１】本発明の一実施形態によるファン装置の取付構造を示した分解斜視図である。
【図２】図１に示した一実施形態によるファン装置の取付構造に使用されるボス部の構造を示した断面図である。
【図３】図１に示した一実施形態によるファン装置の取付構造に使用されるボス部にファン装置を取り付けた状態を示した断面図である。
【図４】図１に示した一実施形態によるファン装置の取付構造に使用されるボス部にネジ部材を用いてファン装置を固定した状態を示した断面図である。
【図５】図１に示した一実施形態によるファン装置の取付構造よってファン装置の上下方向の振動が吸収される様子を示した断面図である。
【図６】図１に示した一実施形態によるファン装置の取付構造よってファン装置の水平方向の振動が吸収される様子を示した断面図である。
【図７】図１に示した一実施形態によるファン装置の取付構造よってファン装置の上下方向および水平方向の両方の振動が吸収される様子を示した断面図である。
【図８】本発明の第１変形例によるファン装置の取付構造に使用されるボス部の構造を示した断面図である。
【図９】本発明の第２変形例によるファン装置の取付構造を示した断面図である。
【発明を実施するための形態】
【００２６】
以下、本発明を具体化した実施形態を図面に基づいて説明する。
【００２７】
図１〜図７を参照して、本発明の一実施形態によるファン装置２０の支持構造について説明する。なお、本実施形態では、振動を伴う機器の一例であるファン装置２０を機械装置の筐体１０に取り付ける際のファン装置２０の支持構造に本発明を適用した場合について説明する。
【００２８】
本発明の一実施形態によるファン装置２０の支持構造では、図１に示すように、機械装置を構成するポリプロピレンなどからなる樹脂製の筐体１０の所定の位置に、２つのネジ部材３０を用いてファン装置２０が取り付けられるように構成されている。また、ファン装置２０と対向する部分の筐体１０の側面１０ａには、外部の空気を筐体１０の内部に吸入するための通気孔１０ｂが設けられている。
【００２９】
ここで、本実施形態では、筐体１０には、側面１０ａに対して垂直な方向（Ｃ方向）に所定の距離だけ延びる２つのボス部１１が筐体１０と一体的に形成されている。また、ボス部１１は、軸方向（Ｃ方向）にボス穴１２が設けられた中空の円筒状を有するように形成されている。これにより、ファン装置２０のフレーム２１に設けられた一様な内径を有する固定孔２１ａ（本実施形態では２箇所を使用する）に、対応する筐体１０側の２つのボス部１１が各々挿入された状態で、ネジ部材３０をボス穴１２に挿入して締め込むことにより、ファン装置２０（フレーム２１）が、筐体１０の側面１０ａとＣ方向に一定の間隔を隔てて配置されるように構成されている。なお、ボス部１１は、本発明の「柱状部」の一例であり、固定孔２１ａは、本発明の「開口部」の一例である。
【００３０】
また、図１および図２に示すように、ボス部１１には、軸方向（Ｃ方向）に間隔Ｌ１（図２参照）を隔てて配置されるとともにボス部１１の外周面から突出する一対の凸部１３が一体的に形成されている。また、図２に示すように、一対の凸部１３は、ボス部１１の延びる軸方向（Ｃ方向）に沿って、表面１３ａ（外周面）が円弧を描くような形状を有するように形成されているとともに、ボス部１１の外周面に沿って周状に形成されている。すなわち、各々のボス部１１は、凸部１３の外径ｄ１が凸部１３以外のボス部１１の外径ｄ２よりも大きく（ｄ１＞ｄ２）形成されている。これにより、図３に示すように、フレーム２１の固定孔２１ａにボス部１１を一方側（Ｃ２側）から挿入してＣ１方向にスライドさせた場合、一対の凸部１３の間の領域１１ａの位置で、フレーム２１が保持されるように構成されている。なお、図２には、ボス部１１にネジ部材３０が締め込まれる前のボス部１１の自然な形状を示している。
【００３１】
また、この状態で、ネジ部材３０をボス穴１２に挿入してＣ２方向に締め込むことにより、図４に示すように、一対の凸部１３が軸方向（Ｃ方向）に撓みながらフレーム２１の上面２１ｂおよび下面２１ｃを挟み込むように構成されている。この際、凸部１３は、自然状態における外径ｄ１（図３参照）の状態から外径をｄ４の大きさ（図４参照）に変化させる（ｄ１＜ｄ４）ことにより、凸部１３の表面１３ａを、フレーム２１の固定孔２１ａと上面２１ｂとが接する円環状のエッジ部２１ｄ、および、固定孔２１ａと下面２１ｃとが接する円環状のエッジ部２１ｅの各々に接触（当接）させてフレーム２１を上下から挟み込むことが可能に構成されている。
【００３２】
なお、図２に示すように、ボス部１１は、凸部１３の肉厚ｔ１が、凸部１３以外のボス部１１の肉厚ｔ２よりも薄く（ｔ１＜ｔ２）形成されている。これにより、図４に示すように、ネジ部材３０のＣ２方向への締め込みとともに、凸部１３をＣ２方向に容易に撓ませながらフレーム２１の上面２１ｂおよび下面２１ｃを挟み込むことが可能に構成されている。
【００３３】
また、本実施形態では、ボス部１１は、フレーム２１が一対の凸部１３間の領域１１ａに配置された状態（図３参照）において、領域１１ａの軸方向の長さ（距離Ｌ１）（図２参照）が、フレーム２１のＣ方向の厚みｔ３（図３におけるフレーム２１の上面２１ｂから下面２１ｃまでの距離）以下となるように（Ｌ１≦ｔ３）形成されている。すなわち、図４に示すように、ネジ部材３０がＣ２方向に締め込まれた状態では、撓み変形した一対の凸部１３の各々の表面１３ａが、フレーム２１の上面２１ｂ（エッジ部２１ｄ）および下面２１ｃ（エッジ部２１ｅ）にそれぞれ確実に接触してフレーム２１を挟み込むことが可能に構成されている。
【００３４】
また、この際、ボス部１１と筐体１０との接続部分（ボス部１１の付け根部分１１ｃ）におけるボス穴１２の内周面に、ネジ部材３０のＣ２側の先端部３０ａがネジ溝を切りながら食い込むように構成されるとともに、ネジ部材３０のＣ１側の頭部３０ｂの下面がボス部１１のＣ１側の端部１１ｂに所定の付勢力を有した状態でＣ２方向に当接するように構成されている。これにより、ボス部１１は、軸方向のＣ１側の端部１１ｂと、Ｃ２側の付け根部分１１ｃとの２箇所でネジ部材３０により支持されることにより、端部１１ｂおよび付け根部分１１ｃの位置において筐体１０に対する相対的な位置変化が起きないように構成されている。
【００３５】
本実施形態では、ボス部１１が上述のように構成されることにより、図５に示すように、フレーム２１は、弾性変形（撓み変形）可能な一対の凸部１３間に挟み込まれて保持されるので、ファン装置２０は、ボス部１１に保持された状態が保たれつつ、ボス部１１の軸方向（Ｃ方向）に所定の範囲内（凸部１３の撓み変形による変位量の範囲）で移動可能となるように構成されている。すなわち、ボス部１１は、ファン装置２０が作動する際に生じる縦方向（Ｃ１およびＣ２方向）の振動を、一対の凸部１３を弾性変形させながら吸収するように構成されている。なお、図５では、ファン装置２０の振動力がＣ２方向に働いた際にＣ２側の凸部１３が軸方向に縮んで振動力を吸収している状態を示しているが、ファン装置２０の振動力がＣ１方向に働いた際は、Ｃ１側の凸部１３が軸方向に縮んで振動力を吸収するように構成されている。
【００３６】
また、本実施形態では、図４に示すように、ボス部１１は、一対の凸部１３間の領域１１ａにおける内径ｄ３（図３参照）が、ネジ部材３０のネジ部３０ｃの外径Ｄ１よりも大きく（ｄ３＞Ｄ１）形成されている。すなわち、ネジ部材３０がＣ２方向に締め込まれた状態では、ネジ部材３０のネジ部３０ｃと、ボス部１１の領域１１ａにおける内周面との間に距離Ｌ２を有する隙間ができるように構成されている。
【００３７】
これにより、図６に示すように、ファン装置２０は、ボス部１１に保持された状態が保たれつつ、ボス部１１の軸方向と直交する方向（Ａ方向）に隙間を縮めながら所定の範囲内（ボス部１１の内径ｄ３（図３参照）とネジ部３０ｃの外径Ｄ１との差に相当する距離の範囲（図４に示した距離Ｌ２の約２倍の長さの範囲））で移動可能となるように構成されている。すなわち、ボス部１１は、ファン装置２０が作動する際に生じる横方向（Ａ１およびＡ２方向）の振動を、一対の凸部１３の撓み変形および領域１１ａの微小なスライド動作を利用して吸収するように構成されている。なお、図６では、ファン装置２０の振動力がＡ１方向に働いた際にボス部１１の領域１１ａがＡ１側へスライドしている状態を示しているが、ファン装置２０の振動力がＡ２方向に働いた際は、領域１１ａがＡ２側へスライドして振動力を吸収するように構成されている。また、図１に示すように、ファン装置２０は、Ａ方向のみならずＢ方向に振動した場合であっても、一対の凸部１３の撓み変形および領域１１ａの微小なスライド動作を利用して、これらの方向（Ａ方向およびＢ方向）の振動を吸収するように構成されている。
【００３８】
また、ファン装置２０に縦方向（Ｃ方向）および横方向（Ａ（Ｂ）方向）の両方の振動が生じた場合、ボス部１１は、ファン装置２０の縦方向および横方向の振動を共に吸収することが可能に構成されている。すなわち、図７に示すように、ボス部１１は、一対の凸部１３を縦方向および横方向に撓み変形させながら凸部１３および領域１１ａを微小にスライドさせてファン装置２０の振動を吸収するように構成されている。なお、この状態でも、ボス部１１は、軸方向のＣ１側の端部１１ｂと、Ｃ２側の付け根部分１１ｃとの２箇所でネジ部材３０により支持されることにより、端部１１ｂおよび付け根部分１１ｃの位置において筐体１０に対する相対的な位置変化が起きないように構成されている。
【００３９】
本実施形態では、上記のように、ファン装置２０に設けられた固定孔２１ａに挿入され、軸方向（Ｃ方向）に間隔Ｌ１を隔てて配置される弾性変形可能な一対の凸部１３を一体的に含むボス部１１を備えるとともに、ファン装置２０の固定孔２１ａにボス部１１が挿入された状態で、一対の凸部１３間にフレーム２１を挟み込んで保持することにより、ファン装置２０の振動を吸収するように構成することによって、ボス部１１は、フレーム２１の固定孔２１ａを介してファン装置２０を支持するのと同時に、ボス部１１に一体的に設けられた一対の凸部１３を利用してファン装置２０の振動を吸収するので、ファン装置２０の支持と振動吸収との両方の機能をボス部１１に担わせることができる。これにより、たとえば、ファン装置２０（フレーム２１）を支持するために支持部材を設けるとともに、ファン装置２０（フレーム２１）の振動を吸収する目的で支持部材とは別に防振ゴムなどの振動吸収部材を設ける場合と異なり、ボス部１１がファン装置２０の支持部材と振動吸収部材との両方の役割を担う分、ファン装置２０の支持構造における部品点数の増加を抑制することができる。
【００４０】
また、上記のように、弾性変形可能な一対の凸部１３間にフレーム２１を挟み込んで保持することにより、ファン装置２０の振動を吸収することによって、ファン装置２０は、ボス部１１の一対の凸部１３によってフレーム２１の上面２１ｂおよび下面２１ｃの両面から挟み込まれた状態で振動吸収可能に支持されるので、ファン装置２０の振動力がＣ１およびＣ２方向のいずれの方向に作用しても、一対の凸部１３の双方がこの振動力を吸収することができる。この結果、ファン装置２０の振動を確実に吸収することができる。
【００４１】
また、本実施形態では、ボス部１１が中空の筒状に形成されることにより、ボス部１１の内周面に沿ってネジ部材３０を挿入しながらＣ２方向に締め込むことが可能に構成されるとともに、ボス部１１を、ネジ部材３０が締め込まれて一対の凸部１３が互いに対向する側と反対側の端部（Ｃ１側の端部１１ｂおよびＣ２側の付け根部分１１ｃ）がネジ部材３０とともに固定されることにより、ボス部１１の一対の凸部１３の間に形成される領域１１ａがファン装置２０の振動を吸収するように構成することによって、ネジ部材３０により固定されるボス部１１の端部（端部１１ｂおよび付け根部分１１ｃ）に対して、フレーム２１を挟み込むボス部１１の一対の凸部１３間の領域１１ａを相対的に変位させやすくすることができるので、一対の凸部１３間の領域１１ａを利用してファン装置２０の振動を容易に吸収することができる。
【００４２】
また、本実施形態では、一対の凸部１３を、フレーム２１の固定孔２１ａにボス部１１が挿入された状態で、ネジ部材３０がボス部１１の内周面に沿ってＣ２方向に締め込まれる際に弾性変形可能な一対の凸部１３の各々を撓ませることにより、一対の凸部１３間にフレーム２１を挟み込んで保持するように構成することによって、ネジ部材３０のＣ２方向の締め込み力が、凸部１３の撓み変形に伴う弾性力に置き換えられて凸部１３に保存されるので、特にファン装置２０（フレーム２１）の振動がボス部１１の軸方向（Ｃ方向）に沿った方向に生じた場合においても、ファン装置２０の振動を効果的に吸収することができる。
【００４３】
また、本実施形態では、一対の凸部１３間に形成される領域１１ａのボス部１１の内径ｄ３を、ネジ部材３０のネジ部３０ｃの外径Ｄ１よりも大きく（ｄ３＞Ｄ１）形成するとともに、一対の凸部１３間にフレーム２１を挟み込んで保持する状態で、一対の凸部１３間に形成される領域１１ａのボス部１１が、一対の凸部１３間に形成される領域１１ａのボス部１１の内周面とネジ部材３０のネジ部３０ｃとの間に設けられた隙間を縮める方向に移動することにより、ファン装置２０のボス部１１の軸方向と交差する方向（Ａ（Ｂ）方向）の振動を吸収することによって、凸部１３間のボス部１１の内周面とネジ部材３０のネジ部３０ｃとの間に生じる隙間を利用して、ファン装置２０の振動がボス部１１の軸方向と交差する方向（Ａ（Ｂ）方向）に発生した場合であっても、ファン装置２０の振動を効果的に吸収することができる。
【００４４】
また、本実施形態では、筒状に形成されたボス部１１の一対の凸部１３の肉厚ｔ１を、一対の凸部１３以外のボス部１１の肉厚ｔ２よりも薄く（ｔ１＜ｔ２）形成することによって、一対の凸部１３の部分でボス部１１の撓み変形をより容易に起こさせることができるので、一対の凸部１３の部分が撓みやすくなる分、ボス部１１にファン装置２０の振動を適切に吸収させることができる。
【００４５】
また、本実施形態では、ボス部１１の一対の凸部１３間の距離Ｌ１を、一対の凸部１３によって挟み込まれる部分のフレーム２１の厚みｔ３以下（Ｌ１≦ｔ３）となるように構成することによって、フレーム２１を一対の凸部１３間に挟み込んだ際、フレーム２１のエッジ部２１ｄおよびエッジ部２１ｅは、確実に一対の凸部１３の表面１３ａと接触するので、フレーム２１を確実に一対の凸部１３間において支持することができる。
【００４６】
また、本実施形態では、一対の凸部１３を、ボス部１１の外周面に沿って周状に形成することによって、凸部１３が平面的に見て等方性を有した状態でフレーム２１を挟み込むことができるので、ボス部１１の延びる方向（Ｃ方向）に対して垂直な平面内のあらゆる方向に発生するフレーム２１の振動を確実に吸収することができる。
【００４７】
また、本実施形態では、凸部１３の表面１３ａを、ボス部１１の延びる軸方向（Ｃ方向）に沿って円弧状に形成することによって、ボス部１１の外側面から突出する凸部１３の表面１３ａがボス部１１の挿入方向に沿って円弧状に形成されているので、ボス部１１をフレーム２１の固定孔２１ａに挿入する際、凸部１３を容易に挿入してフレーム２１の固定孔２１ａに嵌め込むことができる。
【００４８】
また、本実施形態では、一対の凸部１３を含むボス部１１を、弾性変形可能なポリプロピレン樹脂により形成することによって、樹脂成形により、一対の凸部１３を一体的に含むボス部１１を容易に形成することができる。また、ボス部１１の材質が樹脂製であることを利用して、ファン装置２０の振動をボス部１１に効果的に吸収させることができる。
【００４９】
また、本実施形態では、一対の凸部１３を含むボス部１１が、ファン装置２０が取り付けられる筐体１０に一体的に設けられていることによって、筐体１０側に一体的に設けられたボス部１１によってファン装置２０が支持されるので、部品点数を増加させることなく、ファン装置２０を筐体１０側に容易に取り付けることができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、振動を伴う機器の支持構造の一例として、ファン装置２０の支持構造に本発明を適用した例について示したが、本発明はこれに限らず、振動を伴う機器であれば、ファン装置以外の、たとえば、回転するモータが設けられたＤＶＤ再生装置内のＤＶＤローダ機構部の支持構造や、ＨＤＤディスク装置などの支持構造に本発明を適用してもよいし、回転するモータの有無に関わらず、振動を伴う環境下で使用される機器の支持構造に本発明を適用してもよい。
【００５２】
また、上記実施形態では、ボス部１１の一対の凸部１３の表面１３ａを、ボス部１１の延びる軸方向（Ｃ方向）に沿って円弧状に形成した例を示したが、本発明はこれに限らず、図８の第１変形例に示すボス部５１のように、一対の凸部５３の表面５３ａが、ボス部５１の延びる軸方向に沿って２つの斜面部５３ｂと１つの平坦部５３ｃとからなる台形状に形成されていてもよい。この第１変形例のように構成しても、ボス部５１の外周面から突出する凸部５３の表面５３ａがボス部５１の挿入方向に沿ってテーパ状に膨らんでいるので、ボス部５１をフレーム２１（図１参照）の固定孔２１ａ（図１参照）に挿入する際、凸部５３（斜面部５３ｂの部分）を容易に挿入して、フレーム２１の固定孔２１ａに嵌め込むことができる。
【００５３】
また、上記実施形態では、ネジ部３０ｃが軸方向のほぼ全領域に形成されたいわゆる全ネジ状態のネジ部材３０を用いてボス穴１２にＣ２方向に締め込んだ例について示したが、本発明はこれに限らず、図９の第２変形例に示すように、軸方向の先端部６０ａに対応した領域にのみネジ部６０ｃが形成されたネジ部材６０を用いて、ボス穴１２に締め込むように構成してもよい。この第２変形例のように構成しても、ネジ部材６０は先端部６０ａの部分がボス部１１の付け根部分１１ｃの内周面に食い込むので、ボス部１１は、軸方向のＣ１側の端部１１ｂと、Ｃ２側の付け根部分１１ｃとの２箇所でネジ部材６０により支持されることにより、端部１１ｂおよび付け根部分１１ｃの位置において筐体１０に対する相対的な位置変化が起きないように構成することができる。また、ネジ部材６０のネジ部が形成されていないストレート部６０ｂと、ボス部１１の領域１１ａにおける内周面との間に生じる隙間（図９における距離Ｌ３）を、上記実施形態における隙間の大きさ（図４における距離Ｌ２）よりも大きくする（Ｌ３＞Ｌ２）ことができるので、ネジ部材６０のストレート部６０ｂとボス部１１の内周面との隙間が増える分、ファン装置２０の横方向（Ａ（Ｂ）方向）の振動をより広範囲に吸収させることができる。
【００５４】
また、上記実施形態では、１つのファン装置２０を筐体１０に設けられた２つのボス部１１を使用して固定した例について示したが、本発明はこれに限らず、１つのファン装置２０を３つ以上のボス部を使用して筐体１０側に固定してもよい。
【００５５】
また、上記実施形態では、ネジ部材３０をボス穴１２に締め込むことによって、凸部１３を撓ませてフレーム２１を挟み込むように構成した例について示したが、本発明はこれに限らず、たとえば図２に示したボス部１１が自然な状態において凸部１３の部分でフレーム２１を挟み込むように構成してもよい。また、この場合、一対の凸部間にフレーム２１が挟み込まれてフレームの振動が吸収されればよいので、凸部を含めたボス部が中空の円筒状に形成されていてもよいし、中空の円筒状ではない円柱状の状態であってもよい。
【００５６】
また、上記実施形態では、ネジ部材３０がボス穴１２に回転しながら締め込まれるのを利用して、一対の凸部１３を軸方向に撓ませながらフレーム２１を弾性変形可能に挟み込んだ例について示したが、本発明はこれに限らず、ボス穴１２にピン部材などを押し込みながら一対の凸部１３を軸方向に撓ませてフレーム２１を保持するように構成してもよい。この場合、ボス部１１およびピン部材の少なくとも一方に、ピン部材の抜けを抑制するための抜止構造を設けるように構成すればよい。
【００５７】
また、上記実施形態では、ボス部１１における凸部１３の肉厚ｔ１を凸部１３以外のボス部１１の肉厚ｔ２よりも薄く形成した例について示したが、本発明はこれに限らず、凸部１３の肉厚と凸部１３以外のボス部１１の肉厚とが略同じ厚みであるようにボス部を形成してもよい。
【００５８】
また、上記実施形態では、フレーム２１の一様な内径を有する固定孔２１ａにボス部１１を挿入した状態で、一対の凸部１３がフレーム２１の上面２１ｂ（エッジ部２１ｄ）および下面２１ｃ（エッジ部２１ｅ）を挟み込んで保持するように構成した例について示したが、本発明はこれに限らず、内周面に段付き加工（ざぐり加工）が施された固定孔を有するフレームにボス部を挿入してフレーム（ファン装置）を支持するようにしてもよい。この場合、一対の凸部は、固定孔の内部の段が付けられた面（ざぐり面）を上下方向から挟み込むように構成されていればよく、一対の凸部が「ざぐり面」を支持することにより、ボス部はフレーム（ファン装置）の振動を吸収することが可能である。
【００５９】
また、上記実施形態では、一対の凸部１３を含むボス部１１が筐体１０の側面１０ａに一体的に設けられている例について示したが、本発明はこれに限らず、ボス部を筐体とは別部材として設けるとともに、このボス部を、所定の方法で筐体に固定するようにしてもよい。
【００６０】
また、上記実施形態では、ボス部１１をポリプロピレン樹脂により形成した例について示したが、本発明はこれに限らず、凸部１３を弾性変形可能に形成することが可能であるならば、ポリプロピレン樹脂以外の、たとえばポリエチレン樹脂などを用いてボス部を形成してもよい。
【符号の説明】
【００６１】
１０  筐体
１１、５１  ボス部（柱状部）
１１ａ  領域
１３、５３  凸部
２０  ファン装置（振動を伴う機器）
２１ａ  固定孔（開口部）
３０、６０  ネジ部材
３０ａ、６０ａ  先端部（一対の凸部が互いに対向する側と反対側の端部）
３０ｂ  頭部（一対の凸部が互いに対向する側と反対側の端部）
【図１】
2010261543.tif 000003
【図２】
2010261543.tif 000004
【図３】
2010261543.tif 000005
【図４】
2010261543.tif 000006
【図５】
2010261543.tif 000007
【図６】
2010261543.tif 000008
【図７】
2010261543.tif 000009
【図８】
2010261543.tif 000010
【図９】
2010261543.tif 000011